(57)【要約】      （修正有）【課題】構造的及び機能的に斬新で、身頃の上からでも下からでも着ることができ、１着で２倍楽しめる衣服を提供する。【解決手段】身頃２の上部側と下部側とに身頃２の上下方向中心部に対して上下対称状に袖３，３、４，４が一体に形成され、上部側の袖３，３と下部側の袖４，４とは色彩又は模様が異なっている。また、見頃２の前身頃は、左右方向中央部が上下方向全長にわたり切り開かれて、その切り開き部にファスナが取り付けられていることを特徴とする衣服。【選択図】図１
2009249774.tif 000002
【特許請求の範囲】
【請求項１】
身頃の上部側と下部側とに身頃の上下方向中心部に対して上下対称状に袖が一体に形成され、上部側の袖と下部側の袖とは色彩又は模様が異なっていることを特徴とする衣服。
【請求項２】
身頃の前身頃は、左右方向中央部が上下方向全長にわたり切り開かれて、その切り開き部にファスナーが取り付けられていることを特徴とする請求項１に記載の衣服。
【請求項３】
身頃の上端又は下端にフードが一体に形成されていることを特徴とする請求項１又は２に記載の衣服。
【発明の詳細な説明】
【技術分野】
【０００１】
本発明は、セーターやトレーナーシャツ等として使用される衣服に関する。
【背景技術】
【０００２】
従来より使用されているセーター等は、身頃の上部に左右一対の袖を形成したもので、身頃にその下端口から頭を入れて上端口から頭を出しながら、両腕を左右の袖に通して着るようになっている。
【発明の開示】
【発明が解決しようとする課題】
【０００３】
従来のセーター等の衣服は、上記のように身頃の上部側に袖を形成しただけのもので、構造的にも機能的にもありふれているため、模様や色彩等を変える以外には衣服の独自性を発揮させることができなかった。
【０００４】
本発明は、上記のような事情に鑑み、構造的及び機能的に斬新で、身頃の下からでも下からでも着ることができ、１着で２倍楽しめる衣服を提供することを目的としている。
【課題を解決するための手段】
【０００５】
上記課題を解決するための手段を、後述する実施形態の参照符号を付して説明すると、請求項１に係る発明の衣服は、身頃２の上部側と下部側とに身頃２の上下方向中心部に対して上下対称状に袖３，３、４，４が一体に形成され、上部側の袖３，３と下部側の袖４，４とは色彩又は模様が異なっていることを特徴とする。
【０００６】
請求項２は、請求項１に記載の衣服において、身頃２の前身頃２ａは、左右方向中央部が上下方向全長にわたり切り開かれて、その切り開き部２ａｏにファスナー５が取り付けられていることを特徴とする。
【０００７】
請求項３は、請求項１又は２に記載の衣服において、身頃２の上端又は下端にフード６が一体に形成されていることを特徴とする。
【発明の効果】
【０００８】
上記解決手段による発明の効果を、後述する実施形態の参照符号を付して説明すると、請求項１に係る発明の衣服は、身頃２の上部側と下部側とに身頃２の上下方向中心部に対して上下対称状に夫々左右一対の袖３，３、４，４が一体に形成されているから、身頃２の下からでも下からでも着ることができ、在来の衣服に比べると、構造的及び機能的に斬新で、ファッション性にも富み、また上部側の袖３，３と下部側の袖４，４とは色彩が異なっていて、通常使用時と上下反転使用時とでは印象、見た目、美観が異なるから、１着の衣服で２着分の使用価値を有し、２倍楽しむことができる。
【０００９】
請求項２に係る発明の衣服のように、前身頃２ａの左右方向中央部を上下方向全長にわたり切り開いて、その切り開き部２ａｏにファスナー５を取り付ければ、衣服を着たり、脱いだりする時に、着用者が身頃２内にいちいち頭を入れなくてよいから、衣服の着脱が簡単容易となる。
【００１０】
請求項３に係る発明の被覆のように、身頃２の上端又は下端にフード６を一体に形成すれば、ファッション性及び機能性が増し、特に、上下反転使用時にはフード６が使用者のお尻付近に位置することになって、一層ファッション性を高めることができる。
【発明を実施するための最良の形態】
【００１１】
以下に本発明の好適な一実施形態を図面に基づいて説明すると、図１の(a) は本発明に係る一実施形態によるセーターの正面図、(b) は背面図であり、図２は第１使用形態を示す説明図、図３は第２使用形態を示す説明図である。図１〜図３に示すセーター１は、例えばニット生地からなるもので、身頃２の上部側と下部側とに身頃２の上下方向中心部に対し上下対称状に夫々左右一対の袖３，３、４，４が夫々一体に形成されていて、上部側の袖３，３と下部側の袖４，４とは色彩が異なり、例えば上部側の袖３，３は白色、下部側の袖４，４は黒色とされ、また身頃２は例えば青色とされる。
【００１２】
このセーター１の第１使用形態は、通常通り使用するもので、使用者は、身頃２にその下端口Ｌ側から頭を入れて上端口Ｈ側から頭を出しながら、上部側の袖３，３に両腕を通し入れ、そして下部側の袖４，４を使用者の腰に回して前部で結ぶことにより、図２に示すような使用形態となる。
【００１３】
第２使用形態は、このセーター１を上下反転して使用するもので、使用者は、身頃２の上端口Ｈ側から頭を入れて下端口Ｌ側から頭を出しながら、下部側の袖４，４に両腕を通し入れ、上部側の袖３，３を使用者の腰に回して前部で結ぶことによって、図３に示すような使用形態となる。
【００１４】
上記のように、セーター１は、身頃２の上部側と下部側とに身頃２の上下方向中心部に対して上下対称状に夫々左右一対の袖３，３、４，４が夫々一体に形成されているから、身頃の下からでも下からでも着ることができ、在来のセーターに比べると、構造的及び機能的に斬新で、ファッション性にも富んでいる。また、上部側の袖３，３と下部側の袖４，４とは色彩が異なっていて、通常使用時と上下反転使用時とでは印象、見た目、美観が異なるから、１着のセーター１で２着分の使用価値を有し、２倍楽しむことができる。
【００１５】
図１〜図３に示すセーター１では、上部側の袖３，３と下部側の袖４，４とを色彩が異なるようにしたが、上部側の袖３，３と下部側の袖４，４とを模様が異なるようにしてもよいし、また上部側の袖３，３を例えば複数の色の使用による花柄模様とし、下部側の袖４，４を単一色としてもよい。いずれにしても、上部側の袖３，３と下部側の袖４，４とが互いに異なった色彩又は模様であればよい。
【００１６】
図４の(a) は、本発明に係る他の実施形態によるトレーナーシャツの正面図、(b) は背面図であり、図５の(a) は第１使用形態を示す説明図、(b) は第２使用形態を示す説明図である。この図４及び図５に示すトレーナーシャツ１１は、図１〜図３に示されるセーター１とほとんど同じ構成であるが、身頃２の前身頃２ａを開きにして、ファスナー５を取り付けている点で異なる。即ち、このトレーナーシャツ１１は、例えば綿織物の生地からなるもので、身頃２の上部側と下部側とに身頃２の上下方向中心部に対し上下対称状に夫々左右一対の袖３，３、４，４を夫々一体に形成し、上部側の袖３，３と下部側の袖４，４とは色彩を異にし、例えば上部側の袖３，３を白色、下部側の袖４，４を黒色、身頃２を青色とし、そして前身頃２ａと後見頃２ｂとからなる身頃２の前身頃２ａは、左右方向中央部を上下方向全長にわたり切り開いて、その切り開き部２ａｏにスライドファスナー５（ジッパー）を取り付けている。
【００１７】
スライドファスナー５は、前身頃２ａを身頃２の上端口Ｈ側からでも下端口Ｌ側からでも開くことができるように上下２つのスライダー５ａ，５ｂが設けられている。
【００１８】
図５の(a) は、このトレーナーシャツ１１の第１使用形態を示したもので、使用者は、上部側の袖３，３に両腕を通し入れ、下部側の袖４，４を使用者の腰に回して前部で結んでいる。このトレーナーシャツ１１の着用時には、スライドファスナー５によって前身頃２ａを全部開放することによって、両腕を簡単に上部側の袖３，３に通し入れることができて容易に着用することができる。同図(b) は第２使用形態を示したもので、使用者は、下部側の袖４，４に両腕を通し入れ、上部側の袖３，３を使用者の腰に回して前部で結ぶようにしている。
【００１９】
上記トレーナーシャツ１１のように、前身頃２ａの左右方向中央部を切り開いて、その切り開き部２ａｏにスライドファスナー５を取り付けたトレーナーシャツ１１によれば、トレーナーシャツ１１を着るのも脱ぐのも簡単容易になると共に、シャツ１１のファッション性を高めることができる。
【００２０】
図６の(a) は本発明に係る更に他の実施形態によるセーター２１の正面図、(b) は背面図であり、図７は第１使用形態を示す説明図であり、図８は第２使用形態を示す説明図である。この図６〜図８に示すセーター２１は、図１〜図３に示したセーター１とほとんど同じであるが、身頃２の上端にフード６を一体に形成している点がそれと異なっている。即ち、このセーター２１は、例えばニット生地からなるもので、身頃２の上部側と下部側とに身頃２の上下方向中心部に対し上下対称状に夫々左右一対の袖３，３、４，４が夫々一体に形成され、身頃２の上端にはフード６が一体に形成されており、そして上部側の袖３，３と下部側の袖４，４とは色彩が異なり、例えば、上部側の袖３，３が黄色、下部側の袖４，４が赤色、身頃２が下部側の袖４と同じ赤色とされ、フード６は例えば上部側の袖３，３と同じ黄色とされる。
【００２１】
フード６は、図６の(a) 及び図７に示すように、身頃２の上端口Ｈから突出するように形成されると共に、フード６の顔出し口７は、その下部が前身頃２ａの上端中央部に設けられたＶ字状切欠部８と連通するように形成されている。
【００２２】
このセーター２１の第１使用形態においては、使用者は、身頃２にその下端口Ｌ側から頭を入れて上端口Ｈ側から頭を出しながら、上部側の袖３，３に両腕を通し入れ、下部側の袖４，４を使用者の腰に回して前部で結ぶことにより、図７に示すような使用形態となる。
【００２３】
第２使用形態は、このセーター２１を上下反転して使用するもので、使用者は、身頃２の上端口Ｈ側から頭を入れて下端口Ｌ側から頭を出しながら、下部側の袖４，４に両腕を通し入れ、上部側の袖３，３を使用者の腰に回して前部で結ぶことによって、図８に示すような使用形態となり、特に、この反転使用時にはフード６が使用者のお尻付近に位置することになって、ファッション性を一層高めることができる。尚、フード６は、身頃２の下端に一体に形成してもよい。
【図面の簡単な説明】
【００２４】
【図１】(a) は本発明に係る一実施形態によるセーターの正面図、(b) は背面図である。
【図２】同上のセーターの第１使用形態を示す説明図である。
【図３】同上のセーターの第２使用形態を示す説明図である。
【図４】(a) は本発明に係る他の実施形態によるトレーナーシャツの正面図、(b) は背面図である。
【図５】(a) は同上のトレーナーシャツの第１使用形態を示す説明図、(b) は同上のトレーナーシャツの第２使用形態を示す説明図である。
【図６】(a) は本発明に係る更に他の実施形態によるセーターの正面図、(b) は背面図である。
【図７】同上のセーターの第１使用形態を示す説明図である。
【図８】同上のセーターの第２使用形態を示す説明図である。
【符号の説明】
【００２５】
１            セーター（衣服）
１１          トレーナーシャツ（衣服）
２１          セーター（衣服）
２            身頃
Ｈ            身頃の上端口
Ｌ            身頃の下端口
２ａ          前身頃
２ａｏ        
３            上部側の袖
４            下部側の袖
５            ファスナー
６            フード
【図１】
2009249774.tif 000003
【図２】
2009249774.tif 000004
【図３】
2009249774.tif 000005
【図４】
2009249774.tif 000006
【図５】
2009249774.tif 000007
【図６】
2009249774.tif 000008
【図７】
2009249774.tif 000009
【図８】
2009249774.tif 000010